(57)【要約】【課題】高脂質濃度のエマルションを含むことができる癒着防止剤の提供。【解決手段】本発明は、下記一般式（Ｉ）で表される脂質化合物、油分、及び界面活性剤を水相中に含有するエマルション組成物を含む、癒着防止剤に関する。2019193684.tif 000035（式中、Ｘ及びＹはそれぞれ水素原子を表すか又は一緒になって酸素原子を表し、ｎは０〜２の整数を表し、ｍは１又は２を表し、2019193684.tif 000036は一重結合又は２重結合を表し、Ｒはグリセロール、エリスリトール、ペンタエリスリトール、ジグリセロール、トリグリセロール、グリセリン酸、キシロース、ソルビトール、アスコルビン酸、グルコース、ガラクトース、マンノース、ジペンタエリスリトール、マルトース、マンニトール、及びキシリトールからなる群から選択されるいずれか１つから１つの水酸基が除かれた親水性基を表す）【選択図】なし【特許請求の範囲】
【請求項１】
下記一般式（Ｉ）で表される脂質化合物、油分、及び界面活性剤を水相中に含有するエ
マルション組成物を含む、癒着防止剤。
【化１】
2019193684.tif 000033
（式中、Ｘ及びＹはそれぞれ水素原子を表すか又は一緒になって酸素原子を表し、ｎは０
〜２の整数を表し、ｍは１又は２を表し、
2019193684.tif 000034
は一重結合又は２重結合を表し、Ｒはグリセロール、エリスリトール、ペンタエリスリト
ール、ジグリセロール、トリグリセロール、グリセリン酸、キシロース、ソルビトール、
アスコルビン酸、グルコース、ガラクトース、マンノース、ジペンタエリスリトール、マ
ルトース、マンニトール、及びキシリトールからなる群から選択されるいずれか１つから
１つの水酸基が除かれた親水性基を表す）
【請求項２】
エマルション組成物が前記脂質化合物を１５重量％以上の量で含む、請求項１に記載の
癒着防止剤。
【請求項３】
エマルション組成物が前記脂質化合物を２１〜５０重量％の量で含む、請求項１又は２
に記載の癒着防止剤。
【請求項４】
エマルション組成物が、液晶エマルションである、請求項１〜３のいずれか１項に記載
の癒着防止剤。
【請求項５】
前記式中のＲがグリセロール、エリスリトール、ペンタエリスリトール、ジグリセロー
ル、及びキシロースからなる群から選択されるいずれか１つから１つの水酸基が除かれた
親水性基を表す、請求項１〜４のいずれか１項に記載の癒着防止剤。
【請求項６】
前記脂質化合物が、以下：
モノＯ−（５，９，１３−トリメチルテトラデカ−４−エノイル）グリセロール、
モノＯ−（５，９，１３−トリメチルテトラデカ−４，８，１２−トリエノイル）グリセ
ロール、
モノＯ−（５，９，１３−トリメチルテトラデカノイル）グリセロール、
モノＯ−（５，９，１３，１７−テトラメチルオクタデカ−４−エノイル）ジグリセロー
ル、
モノＯ−（５，９，１３，１７−テトラメチルオクタデカノイル）エリスリトール、及び
１−Ｏ−（３，７，１１，１５−テトラメチルヘキサデシル）−β−Ｄ−キシロピラノシ
ド
のいずれかである、請求項１〜５のいずれか１項に記載の癒着防止剤。
【請求項７】
油分が炭化水素油、エステル油、又は植物油である、請求項１〜６のいずれか１項に記
載の癒着防止剤。
【請求項８】
油分がスクワラン、スクアレン、ミリスチン酸イソプロピル、ミリスチン酸オクチルド
デシル、テトラヒドロファルネシル酢酸メチル、ヒマシ油、及びオリーブ油からなる群よ
り選択される、請求項１〜７のいずれか１項に記載の癒着防止剤。
【発明の詳細な説明】
【技術分野】
【０００１】
本発明は、油分を含むエマルションを用いた癒着防止剤に関する。
【背景技術】
【０００２】
生体組織や臓器の癒着は、手術後に発生する典型的な合併症である。その発生頻度は腹
部手術では５５％以上であり、患者にとっては慢性的な腹部痛、腸閉塞、不妊症など深刻
な病状が持続することになる。癒着は、腹部手術以外に、胸部外科や脳外科でも発生する
手術後の普遍的な問題となっている。
【０００３】
手術後の癒着を防止する目的で、医療現場においては、患部と癒着可能性のある臓器と
の間にフィルム状又はシート状の癒着防止材をバリアとして挿入する技術が使用されてい
る。例えば、ジェンザイム社によって開発された、ヒアルロン酸ナトリウムとカルボキシ
メチルセルロースを２：１の割合で含有する半透明のフィルムであるセプラフィルム（Ｒ
）は、生体吸収性の癒着防止材として術後に使用されている。しかし臓器は平面でなく複
雑に入り組んでおり、このようなフィルム状又はシート状の癒着防止材は、組織・臓器の
凹凸のある部分や操作可能な範囲が狭い部位を完全に覆うように適用することは難しい。
またフィルム状又はシート状の癒着防止材には、外科手袋に付着しやすいという問題や、
外科手術の際に損傷部位に適切に貼付するのが難しく、破れたりずれたりしやすいため、
取り扱いには高度な外科技術を要するという問題もある。
【０００４】
近年、多糖類誘導体を含むハイドロゲルを用いた癒着防止剤が開発されている（特許文
献１）。また、活性エステル基を導入した架橋性多糖誘導体からなる、ゲル状の癒着防止
剤も知られている（特許文献２）。しかしそれらの癒着防止剤は、粘度が高いものが多く
注入等の容易な適用手段が使用しにくいため、適用に大規模な装置が必要になったり、狭
い部位に適用しにくいなどの問題がある。そこで、簡便に適用でき、狭い部位にも適用可
能な、操作性が高いさらなる癒着防止剤の開発がなお望まれている。
【０００５】
一方、様々な両親媒性化合物が、水中で液晶を形成することが知られており、化粧品分
野、医薬品分野などで様々な用途に利用されている。近年、低温（６℃未満）においても
高い安定性を示す非ラメラ液晶を形成可能な両親媒性の脂質化合物が開発され、徐放性製
剤におけるその液晶の利用が知られている（特許文献３、４）。この化合物を皮膚外用剤
において経皮浸透促進のために用いることも知られている（特許文献５）。さらに、この
化合物について癒着防止効果が報告された（特許文献６）。しかし、従来の癒着防止剤に
ついてはさらなる改良がなお求められている。
【先行技術文献】
【特許文献】
【０００６】
【特許文献１】国際公開第ＷＯ  ２０１０／１１９９９４号
【特許文献２】国際公開第ＷＯ  ２００５／０８７２８９号
【特許文献３】国際公開第ＷＯ  ２００６／０４３７０５号
【特許文献４】国際公開第ＷＯ  ２０１１／０７８３８３号
【特許文献５】特開２０１２−１７３１８号公報
【特許文献６】国際公開第ＷＯ  ２０１４／１７８２５６号
【発明の概要】
【発明が解決しようとする課題】
【０００７】
本発明は、高脂質濃度のエマルションを含むことができる癒着防止剤を提供することを課
題とする。
【課題を解決するための手段】
【０００８】
本発明者らは、上記の課題を解決するため鋭意検討を重ねた結果、所定の脂質化合物を
用いたエマルションに油分を加えることにより、高脂質濃度のエマルションを含む癒着防
止剤を提供することができること、さらに、高脂質濃度でも高い保存安定性を示し、かつ
生体組織や臓器に対する高い癒着防止効果を発揮できることを見出し、本発明を完成する
に至った。
【０００９】
すなわち、本発明は以下を包含する。
［１］  下記一般式（Ｉ）で表される脂質化合物、油分、及び界面活性剤を水相中に含有
するエマルション組成物を含む、癒着防止剤。
【化１】
2019193684.tif 000002
（式中、Ｘ及びＹはそれぞれ水素原子を表すか又は一緒になって酸素原子を表し、ｎは０
〜２の整数を表し、ｍは１又は２を表し、
2019193684.tif 000003
は一重結合又は２重結合を表し、Ｒはグリセロール、エリスリトール、ペンタエリスリト
ール、ジグリセロール、トリグリセロール、グリセリン酸、キシロース、ソルビトール、
アスコルビン酸、グルコース、ガラクトース、マンノース、ジペンタエリスリトール、マ
ルトース、マンニトール、及びキシリトールからなる群から選択されるいずれか１つから
１つの水酸基が除かれた親水性基を表す）
［２］  エマルション組成物が前記脂質化合物を１５重量％以上の量で含む、［１］に記
載の癒着防止剤。
［３］  エマルション組成物が前記脂質化合物を２１〜５０重量％の量で含む、［１］又
は［２］に記載の癒着防止剤。
［４］  エマルション組成物が、液晶エマルションである、［１］〜［３］のいずれかに
記載の癒着防止剤。
［５］  前記式中のＲがグリセロール、エリスリトール、ペンタエリスリトール、ジグリ
セロール、及びキシロースからなる群から選択されるいずれか１つから１つの水酸基が除
かれた親水性基を表す、［１］〜［４］のいずれかに記載の癒着防止剤。
［６］  前記脂質化合物が、以下：
モノＯ−（５，９，１３−トリメチルテトラデカ−４−エノイル）グリセロール、
モノＯ−（５，９，１３−トリメチルテトラデカ−４，８，１２−トリエノイル）グリセ
ロール、
モノＯ−（５，９，１３−トリメチルテトラデカノイル）グリセロール、
モノＯ−（５，９，１３，１７−テトラメチルオクタデカ−４−エノイル）ジグリセロー
ル、
モノＯ−（５，９，１３，１７−テトラメチルオクタデカノイル）エリスリトール、及び
１−Ｏ−（３，７，１１，１５−テトラメチルヘキサデシル）−β−Ｄ−キシロピラノシ
ド
のいずれかである、［１］〜［５］のいずれかに記載の癒着防止剤。
［７］  油分が炭化水素油、エステル油、又は植物油である、［１］〜［６］のいずれか
に記載の癒着防止剤。
［８］  油分がスクワラン、スクアレン、ミリスチン酸イソプロピル、ミリスチン酸オク
チルドデシル、テトラヒドロファルネシル酢酸メチル、ヒマシ油、及びオリーブ油からな
る群より選択される、［１］〜［７］のいずれかに記載の癒着防止剤。
【発明の効果】
【００１０】
本発明によれば、高脂質濃度のエマルションを含むことができ、保存安定性の高い癒着
防止剤を提供することができる。
【図面の簡単な説明】
【００１１】
【図１】サンプルＮｏ．３のＳＡＸＳの強度分布を示す図である。逆ヘキサゴナル液晶を示している。
【図２】サンプルＮｏ．８のＳＡＸＳの強度分布を示す図である。逆ヘキサゴナル液晶を示している。
【図３】サンプルＮｏ．９のＳＡＸＳの強度分布を示す図である。逆ヘキサゴナル液晶を示している。
【図４】サンプルＮｏ．１１のＳＡＸＳの強度分布を示す図である。スポンジ相を示している。
【図５】サンプルＮｏ．１２のＳＡＸＳの強度分布を示す図である。スポンジ相を示している。
【図６】サンプルＮｏ．１４のＳＡＸＳの強度分布を示す図である。逆ヘキサゴナル液晶を示している。
【図７】サンプルＮｏ．１７のＳＡＸＳの強度分布を示す図である。逆ヘキサゴナル液晶を示している。
【図８】サンプルＮｏ．２３のＳＡＸＳの強度分布を示す図である。逆ヘキサゴナル液晶を示している。
【図９】サンプルＮｏ．２６のＳＡＸＳの強度分布を示す図である。逆ヘキサゴナル液晶を示している。
【図１０】サンプルＮｏ．２７のＳＡＸＳの強度分布を示す図である。逆ヘキサゴナル液晶（ブロード）を示す。
【図１１】サンプルＮｏ．２８のＳＡＸＳの強度分布を示す図である。逆ヘキサゴナル液晶を示している。
【図１２】サンプルＮｏ．３０のＳＡＸＳの強度分布を示す図である。スポンジ相を示している。
【図１３】サンプルＮｏ．３１のＳＡＸＳの強度分布を示す図である。スポンジ相を示している。
【図１４】サンプルＮｏ．３３のＳＡＸＳの強度分布を示す図である。スポンジ相を示している。
【図１５】サンプルＮｏ．３５のＳＡＸＳの強度分布を示す図である。逆ヘキサゴナル液晶を示している。
【図１６】サンプルＮｏ．３７のＳＡＸＳの強度分布を示す図である。逆ヘキサゴナル液晶を示している。
【図１７】サンプルＮｏ．３８のＳＡＸＳの強度分布を示す図である。Ｐｎ３ｍキュービック液晶を示している。
【発明を実施するための形態】
【００１２】
以下、本発明を詳細に説明する。
【００１３】
１．脂質化合物（脂質）
本発明に係る癒着防止剤は、下記一般式（Ｉ）：
【化２】
2019193684.tif 000004
で表される化合物を含有する。この化合物は両親媒性の脂質化合物であり、生体組織や臓
器に対する癒着を阻止又は低減する効果（癒着防止効果）をもたらすことができる。
【００１４】
一般式（Ｉ）中、Ｘ及びＹはそれぞれ水素原子を表すか又は一緒になって酸素原子を表
す。
【００１５】
一般式（Ｉ）中、ｎは０〜２の整数（好ましくは、１又は２）を表し、ｍは１又は２を
表す。一般式（Ｉ）で表される脂質化合物において、ｎとｍの組み合わせは、ｎ＝０、ｍ
＝１；ｎ＝０、ｍ＝２；ｎ＝１、ｍ＝１；ｎ＝１、ｍ＝２；ｎ＝２、ｍ＝１；又はｎ＝２
、ｍ＝２のいずれであってもよい。
【００１６】
式中の：
2019193684.tif 000005
は一重結合又は２重結合を表す。
【００１７】
一般式（Ｉ）中のＲは２つ以上の水酸基を有する親水性基、特に、グリセロール、エリ
スリトール、ペンタエリスリトール、ジグリセロール、グリセリン酸、トリグリセロール
、キシロース、ソルビトール、アスコルビン酸、グルコース、ガラクトース、マンノース
、ジペンタエリスリトール、マルトース、マンニトール、及びキシリトールからなる群か
ら選択されるいずれか１つから１つの水酸基が除かれた親水性基を表す。一般式（Ｉ）中
のＲは、グリセロール、エリスリトール、ペンタエリスリトール、ジグリセロール、及び
キシロースからなる群から選択されるいずれか１つから１つの水酸基が除かれた親水性基
であることがさらに好ましい。
【００１８】
なお本発明において、一般式（Ｉ）中の表記：
2019193684.tif 000006
は当該脂質化合物が幾何異性体のＥ体（シス体）若しくはＺ体（トランス体）又はそれら
の混合物であることを意味する。
【００１９】
一般式（Ｉ）で表される脂質化合物の例としては、下記一般式（ＩＩ）で表される脂質
化合物が挙げられる。
【化３】
2019193684.tif 000007
【００２０】
一般式（ＩＩ）中、Ｘ及びＹはそれぞれ水素原子を表すか又は一緒になって酸素原子を
表し、ｎは０〜２の整数（好ましくは、１又は２）を表し、ｍは１又は２を表す。一般式
（ＩＩ）中のＲはグリセロール、エリスリトール、ペンタエリスリトール、ジグリセロー
ル、グリセリン酸、トリグリセロール、キシロース、ソルビトール、アスコルビン酸、グ
ルコース、ガラクトース、マンノース、ジペンタエリスリトール、マルトース、マンニト
ール、及びキシリトールからなる群から選択されるいずれか１つから１つの水酸基が除か
れた親水性基を表し、Ｒのより好ましい例はグリセロール、エリスリトール、ペンタエリ
スリトール、ジグリセロール、及びキシロースからなる群から選択されるいずれか１つか
ら１つの水酸基が除かれた親水性基である。Ｘ及びＹがそれぞれ水素原子を表す場合、Ｒ
はグリセロール、エリスリトール、ペンタエリスリトール、ジグリセロール、グリセリン
酸、及びキシロースからなる群から選択されるいずれか１つから１つの水酸基が除かれた
親水性基であることが好ましい。Ｘ及びＹが一緒になって酸素原子（エステル結合）を表
す場合には、Ｒはグリセロール、エリスリトール、ペンタエリスリトール、及びジグリセ
ロールからなる群から選択されるいずれか１つから１つの水酸基が除かれた親水性基であ
ることが好ましい。但しｎ＝０の場合、Ｒはエリスリトール、ペンタエリスリトール、ジ
グリセロール、及びキシロースからなる群から選択されるいずれか１つから１つの水酸基
が除かれた親水性基であることが好ましい。
【００２１】
なお本発明において、一般式（ＩＩ）中の表記：
2019193684.tif 000008
は当該脂質化合物が幾何異性体のＥ体（シス体）若しくはＺ体（トランス体）又はそれら
の混合物であることを意味する。
【００２２】
一般式（ＩＩ）で表される脂質化合物の好ましい具体例としては、例えば以下のエステ
ル化合物が挙げられる。
【００２３】
・ｎ＝０、ｍ＝１の化合物
モノＯ−（３，７，１１−トリメチルドデカ−２，６，１０−トリエノイル）グリセロ
ール
グリセリン酸３，７，１１−トリメチルドデカ−２，６，１０−トリエニル
・ｎ＝０、ｍ＝２の化合物
モノＯ−（３，７，１１，１５−テトラメチルヘキサデカ−２，６，１０，１４−テト
ラエノイル）グリセロール
モノＯ−（３，７，１１，１５−テトラメチルヘキサデカ−２，６，１０，１４−テト
ラエノイル）エリスリトール
モノＯ−（３，７，１１，１５−テトラメチルヘキサデカ−２，６，１０，１４−テト
ラエノイル）ペンタエリスリトール
モノＯ−（３，７，１１，１５−テトラメチルヘキサデカ−２，６，１０，１４−テト
ラエノイル）ジグリセロール
グリセリン酸３，７，１１，１５−テトラメチルヘキサデカ−２，６，１０，１４−テ
トラエニル
・ｎ＝１、ｍ＝１の化合物
モノＯ−（４，８，１２−トリメチルトリデカ−３，７，１１−トリエノイル）グリセ
ロール
グリセリン酸４，８，１２−トリメチルトリデカ−３，７，１１−トリエニル
・ｎ＝１、ｍ＝２の化合物
モノＯ−（４，８，１２，１６−テトラメチルヘプタデカ−３，７，１１，１５−テト
ラエノイル）グリセロール
モノＯ−（４，８，１２，１６−テトラメチルヘプタデカ−３，７，１１，１５−テト
ラエノイル）エリスリトール
モノＯ−（４，８，１２，１６−テトラメチルヘプタデカ−３，７，１１，１５−テト
ラエノイル）ペンタエリスリトール
モノＯ−（４，８，１２，１６−テトラメチルヘプタデカ−３，７，１１，１５−テト
ラエノイル）ジグリセロール
グリセリン酸４，８，１２，１６−テトラメチルヘプタデカ−３，７，１１，１５−テ
トラエニル
・ｎ＝２、ｍ＝１の化合物
モノＯ−（５，９，１３−トリメチルテトラデカ−４，８，１２−トリエノイル）グリ
セロール
モノＯ−（５，９，１３−トリメチルテトラデカ−４，８，１２−トリエノイル）エリ
スリトール
モノＯ−（５，９，１３−トリメチルテトラデカ−４，８，１２−トリエノイル）ペン
タエリスリトール
モノＯ−（５，９，１３−トリメチルテトラデカ−４，８，１２−トリエノイル）ジグ
リセロール
グリセリン酸５，９，１３−トリメチルテトラデカ−４，８，１２−トリエニル
・ｎ＝２、ｍ＝２の化合物
モノＯ−（５，９，１３，１７−テトラメチルオクタデカ−４，８，１２，１６−テト
ラエノイル）グリセロール
モノＯ−（５，９，１３，１７−テトラメチルオクタデカ−４，８，１２，１６−テト
ラエノイル）エリスリトール
モノＯ−（５，９，１３，１７−テトラメチルオクタデカ−４，８，１２，１６−テト
ラエノイル）ペンタエリスリトール
モノＯ−（５，９，１３，１７−テトラメチルオクタデカ−４，８，１２，１６−テト
ラエノイル）ジグリセロール
グリセリン酸５，９，１３，１７−テトラメチルオクタデカ−４，８，１２，１６−テ
トラエニル
【００２４】
一般式（ＩＩ）で表される脂質化合物としては、例えば以下のエーテル化合物又はグリ
コシド化合物が挙げられる。
【００２５】
・ｎ＝０、ｍ＝１の化合物
モノＯ−（３，７，１１−トリメチルドデカ−２，６，１０−トリエニル）グリセロー
ル
モノＯ−（３，７，１１−トリメチルドデカ−２，６，１０−トリエニル）エリスリト
ール
モノＯ−（３，７，１１−トリメチルドデカ−２，６，１０−トリエニル）ペンタエリ
スリトール
１−Ｏ−（３，７，１１−トリメチルドデカ−２，６，１０−トリエニル）−Ｄ−キシ
ロピラノシド
・ｎ＝０、ｍ＝２の化合物
モノＯ−（３，７，１１，１５−テトラメチルヘキサデカ−２，６，１０，１４−テト
ラエニル）グリセロール
モノＯ−（３，７，１１，１５−テトラメチルヘキサデカ−２，６，１０，１４−テト
ラエニル）エリスリトール
モノＯ−（３，７，１１，１５−テトラメチルヘキサデカ−２，６，１０，１４−テト
ラエニル）ペンタエリスリトール
１−Ｏ−（３，７，１１，１５−テトラメチルヘキサデカ−２，６，１０，１４−テト
ラエニル）−Ｄ−キシロピラノシド
モノＯ−（３，７，１１，１５−テトラメチルヘキサデカ−２，６，１０，１４−テト
ラエニル）ジグリセロール
・ｎ＝１、ｍ＝１の化合物
モノＯ−（４，８，１２−トリメチルトリデカ−３，７，１１−トリエニル）グリセロ
ール
モノＯ−（４，８，１２−トリメチルトリデカ−３，７，１１−トリエニル）エリスリ
トール
モノＯ−（４，８，１２−トリメチルトリデカ−３，７，１１−トリエニル）ペンタエ
リスリトール
１−Ｏ−（４，８，１２−トリメチルトリデカ−３，７，１１−トリエニル）−Ｄ−キ
シロピラノシド
・ｎ＝１、ｍ＝２の化合物
モノＯ−（４，８，１２，１６−テトラメチルヘプタデカ−３，７，１１，１５−テト
ラエニル）グリセロール
モノＯ−（４，８，１２，１６−テトラメチルヘプタデカ−３，７，１１，１５−テト
ラエニル）エリスリトール
モノＯ−（４，８，１２，１６−テトラメチルヘプタデカ−３，７，１１，１５−テト
ラエノイル）ペンタエリスリトール
１−Ｏ−（４，８，１２，１６−テトラメチルヘプタデカ−３，７，１１，１５−テト
ラエニル）−Ｄ−キシロピラノシド
・ｎ＝２、ｍ＝１の化合物
モノＯ−（５，９，１３−トリメチルテトラデカ−４，８，１２−トリエニル）グリセ
ロール
モノＯ−（５，９，１３−トリメチルテトラデカ−４，８，１２−トリエニル）エリス
リトール
モノＯ−（５，９，１３−トリメチルテトラデカ−４，８，１２−トリエニル）ペンタ
エリスリトール
１−Ｏ−（５，９，１３−トリメチルテトラデカ−４，８，１２−トリエニル）−Ｄ−
キシロピラノシド
モノＯ−（５，９，１３−トリメチルテトラデカ−４，８，１２−トリエニル）ジグリ
セロール
・ｎ＝２、ｍ＝２の化合物
モノＯ−（５，９，１３，１７−テトラメチルオクタデカ−４，８，１２，１６−テト
ラエニル）グリセロール
モノＯ−（５，９，１３，１７−テトラメチルオクタデカ−４，８，１２，１６−テト
ラエニル）エリスリトール
モノＯ−（５，９，１３，１７−テトラメチルオクタデカ−４，８，１２，１６−テト
ラエニル）ペンタエリスリトール
１−Ｏ−（５，９，１３，１７−テトラメチルオクタデカ−４，８，１２，１６−テト
ラエニル）−Ｄ−キシロピラノシド
モノＯ−（５，９，１３，１７−テトラメチルオクタデカ−４，８，１２，１６−テト
ラエニル）ジグリセロール
【００２６】
一般式（Ｉ）で表される脂質化合物の別の例としては、下記一般式（ＩＩＩ）で表され
る脂質化合物が挙げられる。
【化４】
2019193684.tif 000009
【００２７】
一般式（ＩＩＩ）中、Ｘ及びＹはそれぞれ水素原子を表すか又は一緒になって酸素原子
を表し、ｎは０〜２の整数（好ましくは、１又は２）を表し、ｍは１又は２を表す。
【００２８】
一般式（ＩＩＩ）中のＲは２つ以上の水酸基を有する親水性基を表し、特に、グリセロ
ール、エリスリトール、ペンタエリスリトール、ジグリセロール、グリセリン酸、トリグ
リセロール、キシロース、ソルビトール、アスコルビン酸、グルコース、ガラクトース、
マンノース、ジペンタエリスリトール、マルトース、マンニトール、及びキシリトールか
らなる群から選択されるいずれか１つから１つの水酸基が除かれた親水性基を表す。
【００２９】
なお本発明において、一般式（ＩＩＩ）中の表記：
2019193684.tif 000010
は当該脂質化合物が幾何異性体のＥ体（シス体）若しくはＺ体（トランス体）又はそれら
の混合物であることを意味する。
【００３０】
一般式（ＩＩＩ）で表される脂質化合物の好ましい具体例としては、例えば以下の化合
物が挙げられる。
【００３１】
モノＯ−（５，９，１３−トリメチルテトラデカ−４−エノイル）グリセロール
モノＯ−（５，９，１３，１７−テトラメチルオクタデカ−４−エノイル）グリセロー
ル
モノＯ−（５，９，１３，１７−テトラメチルオクタデカ−４−エノイル）エリスリト
ール
モノＯ−（５，９，１３，１７−テトラメチルオクタデカ−４−エノイル）ペンタエリ
スリトール
モノＯ−（５，９，１３，１７−テトラメチルオクタデカ−４−エノイル）ジグリセロ
ール
【００３２】
一般式（Ｉ）で表される脂質化合物のさらに別の例としては、下記一般式（ＩＶ）で表
される脂質化合物が挙げられる。
【化５】
2019193684.tif 000011
【００３３】
一般式（ＩＶ）中、Ｘ及びＹはそれぞれ水素原子を表すか又は一緒になって酸素原子を
表し、ｎは０〜２の整数（好ましくは、１又は２）を表し、ｍは１又は２を表す。
【００３４】
一般式（ＩＶ）中のＲは２つ以上の水酸基を有する親水性基を表し、特に、グリセロー
ル、エリスリトール、ペンタエリスリトール、ジグリセロール、グリセリン酸、トリグリ
セロール、キシロース、ソルビトール、アスコルビン酸、グルコース、ガラクトース、マ
ンノース、ジペンタエリスリトール、マルトース、マンニトール、及びキシリトールから
なる群から選択されるいずれか１つから１つの水酸基が除かれた親水性基が挙げられる。
【００３５】
一般式（ＩＶ）で表される脂質化合物の好ましい具体例としては、例えば以下の化合物
が挙げられる。
【００３６】
モノＯ−（５，９，１３−トリメチルテトラデカノイル）グリセロール
１−Ｏ−（３，７，１１，１５−テトラメチルヘキサデシル）−β−Ｄ−キシロピラノ
シド
モノＯ−（５，９，１３，１７−テトラメチルオクタデカノイル）グリセロール
モノＯ−（５，９，１３，１７−テトラメチルオクタデカノイル）エリスリトール
モノＯ−（５，９，１３，１７−テトラメチルオクタデカノイル）ペンタエリスリトー
ル
１−Ｏ−（５，９，１３，１７−テトラメチルオクタデカニル）−β−Ｄ−キシロピラ
ノシド
【００３７】
２．本発明で用いる脂質化合物の性質
上記脂質化合物は本発明に係る癒着防止剤の主要な構成成分の１つとして用いることが
できる。本発明に係る癒着防止剤に用いる脂質化合物は、液晶化合物であり、水性媒体中
で非ラメラ液晶を形成することができる。なお本明細書中、脂質化合物を含む水性媒体を
「脂質化合物／水系」と表すことがある。
【００３８】
本発明で用いる脂質化合物によってエマルション中で形成される非ラメラ液晶は、ラメ
ラ液晶ではない構造体であり、具体的には、例えば、キュービック液晶、逆ヘキサゴナル
液晶又はスポンジ相（Ｌ３相）でありうる。本発明で用いる脂質化合物によってエマルシ
ョン中で形成される非ラメラ液晶はまた、これらの液晶相を２つ以上含んでもよい。
【００３９】
キュービック液晶は、ＩＩ型キュービック液晶であることが好ましい。キュービック液
晶の構造は、一般にＩ型とＩＩ型に分類される。「水中油型」構造をとる場合をＩ型キュ
ービック液晶、逆に「油中水型」構造をとる場合をＩＩ型キュービック液晶という。Ｉ型
とＩＩ型は、脂質化合物／水系の相挙動から判定することができる。例えば、Ｉ型の場合
、脂質化合物／水系の水含有量を増加させていくと、他の液晶（例えばラメラ液晶）から
、さらにはミセルへと転移し、最終的には均一な水溶液となる。これに対し、ＩＩ型液晶
では、ある一定以上の水量となると、飽和量の水を含んだ液晶と過剰な水が共存する「液
晶＋過剰水」の二相となり、水量を増しても均一な水溶液となることはない。
【００４０】
キュービック液晶はまた、結晶学的空間群Ｉａ３ｄに属するキュービック液晶（以下、
Ｉａ３ｄキュービック液晶）、結晶学的空間群Ｐｎ３ｍに属するキュービック液晶（以下
、Ｐｎ３ｍキュービック液晶）、又は結晶学的空間群Ｉｍ３ｍに属するキュービック液晶
（以下、Ｉｍ３ｍキュービック液晶）であってよいが、Ｐｎ３ｍキュービック液晶である
ことがより好ましい。
【００４１】
本発明に係る脂質化合物は、広範な環境条件下で高い安定性を示す。例えば、本発明に
係る脂質化合物は疎水性基としてイソプレノイド鎖を有することを特徴とし、疎水性基と
してオレイン酸などの直鎖脂肪鎖を有する脂質化合物と異なり、加水分解に対する耐性が
高く、酸化安定性も比較的高い。本発明に係る脂質化合物はまた、液晶を取り得る温度領
域が広く、クラフト温度が低く、低温（６℃以下、好ましくは０℃又はそれ以下）でも安
定して液晶を形成することができる。
【００４２】
脂質化合物によって形成されるエマルション中の液晶構造の解析は、常法により行うこ
とができるが、例えば以下の方法を用いた小角エックス線散乱（ＳＡＸＳ）測定により解
析できる。
【００４３】
小角エックス線散乱（ＳＡＸＳ）測定によるエマルション中の液晶構造の確認
脂質化合物を含むエマルションサンプルを例えばソーダガラス製や石英製などのエック
ス線キャピラリーチューブに入れた後、キャピラリーを酸素バーナーで封じ、ＳＡＸＳ測
定に供すればよい。ＳＡＸＳ測定は、市販の機器を用いて行うことができ、例えば、ＮＡ
ＮＯ  Ｖｉｅｗｅｒナノスケールエックス線構造評価装置（Ｒｉｇａｋｕ製）を用いて測
定を行うことができる。
【００４４】
ＳＡＸＳ測定の結果、それぞれの液晶構造に特有の以下の散乱ピークの比（ピーク間隔
）を示すかどうかを確認することにより、エマルション中の液晶構造を確認することがで
きる。
【００４５】
Ｐｎ３ｍキュービック液晶の比：
【数１】
2019193684.tif 000012
【００４６】
Ｉａ３ｄキュービック液晶の比：
【数２】
2019193684.tif 000013
【００４７】
Ｉｍ３ｍキュービック液晶の比：
【数３】
2019193684.tif 000014
【００４８】
逆ヘキサゴナル液晶に特有の比：
【数４】
2019193684.tif 000015
【００４９】
また当業者に周知の方法に従って、ＳＡＸＳの強度分布データからピークの値を算出し
、さらにそれらの逆数の比を求めれば容易に空間群と格子定数を決めることができる。
【００５０】
一方、スポンジ相（Ｌ３相）のＳＡＸＳ測定においては、ブロードな散乱ピークが観測
される。
【００５１】
本発明に係る癒着防止剤に用いる脂質化合物は、それ自体が低い粘度を示す。具体的に
は、本発明に係る癒着防止剤に用いる脂質化合物は、化合物自体が、２５℃での測定値で
好ましくは１５．０Ｐａ・ｓ以下、より好ましくは１１．０Ｐａ・ｓ以下、さらに好まし
くは６．０Ｐａ・ｓ以下の粘度を有する。この粘度は、例えば、粘度・粘弾性測定装置（
Ｇｅｍｉｎｉ  ＩＩ、マルバーン社）を使用し、温度２５℃にて測定することができる。
【００５２】
３．脂質化合物の合成
本発明で用いる脂質化合物は、後述の実施例の記載を参照して合成することができる。
あるいは、一般式（ＩＩＩ）で表される脂質化合物は、例えば、国際公開第ＷＯ  ２０１
１／０７８３８３号に記載された合成法に従って合成することができる。また、一般式（
ＩＶ）で表される脂質化合物は、例えば、国際公開第ＷＯ  ２００６／０４３７０５号に
記載された合成法に従って合成することができる。さらに、一般式（ＩＩ）で表される脂
質化合物は、例えば、国際公開第ＷＯ  ２０１４／１７８２５６号に記載された合成法に
従って合成することができる。
【００５３】
一般式（Ｉ）で表される脂質化合物は、一般的には、１分子の多価アルコール（好まし
くは、グリセロール、エリスリトール、ペンタエリスリトール、ジグリセロール、グリセ
リン酸、トリグリセロール、キシロース、ソルビトール、アスコルビン酸、グルコース、
ガラクトース、マンノース、ジペンタエリスリトール、マルトース、マンニトール、又は
キシリトールであり、より好ましくは、グリセロール、エリスリトール、ペンタエリスリ
トール、ジグリセロール、グリセリン酸、キシロースである）に、１分子の長鎖炭化水素
（好ましくは、長鎖脂肪酸又は長鎖アルコール）がエステル結合、エーテル結合、又はグ
リコシド結合により結合したエステル化合物、エーテル化合物、又はグリコシド化合物で
ある。
【００５４】
本発明に係る一般式（Ｉ）で表される脂質化合物は、例えば以下のようにして製造（合
成）できる。
【００５５】
第１に、前記の一般式（Ｉ）で表される化合物のうち、式中のＸとＹが一緒になって酸
素原子を表しているエステル化合物（下記の一般式（ＶＩ））は、例えば、下記一般式（
Ｖ）で表されるエステル化合物と親水性化合物Ｒ−ＯＨとのエステル交換反応により製造
することができる。エステル交換反応の反応条件は特に限定されないが、例えば、酸若し
くは塩基触媒を用いて実施される。
【化６】
2019193684.tif 000016
【００５６】
さらに、エステル化合物（一般式（ＶＩ））は一般式（Ｖ）で表されるエステル化合物
に対応するカルボン酸と親水性化合物Ｒ−ＯＨとのエステル化により製造することができ
る。エステル化の反応条件は特に限定されないが、例えば、酸若しくは塩基触媒、塩化チ
オニルなどのハロゲン化剤又は縮合剤を用いて実施される。
【００５７】
親水性化合物Ｒ−ＯＨのＲ中の一部あるいは全ての水酸基を保護して、エステル交換反
応あるいはエステル化反応を実施することがある。この場合、エステル交換反応あるいは
エステル化反応後、脱保護することによりエステル化合物（ＶＩ）を製造することができ
る。
【００５８】
第２に、前記の一般式（Ｉ）で表される化合物のうち、式中のＸとＹがともに水素原子
であるエーテル化合物（下記一般式（ＩＸ）で表される化合物）は、例えば、下記一般式
（ＶＩＩ）で表される脱離基Ｚを有する化合物と親水性化合物Ｒ−ＯＨとのエーテル化反
応、又は下記一般式（ＶＩＩＩ）で表されるアルコールと脱離基Ｚを有するＲ−Ｚとのエ
ーテル化反応により製造することができる。エーテル化の反応条件は特に限定されないが
、例えば、塩基を用いて実施される。親水性化合物Ｒ−ＯＨのＲ中の一部あるいは全ての
水酸基を保護して、エーテル化反応を実施してもよい。この場合、エーテル化反応後、脱
保護することによりエーテル化合物（ＩＸ）を製造することができる。
【化７】
2019193684.tif 000017
【００５９】
第３に、前記の一般式（Ｉ）で表される化合物のうち、ＸとＹがともに水素原子であり
Ｒが糖残基である一般式（ＩＸ）で表されるグリコシド化合物は、例えば、下記の通り、
一般式（ＶＩＩＩ）で表されるアルコールと、アノマー位を脱離基Ｚとして水酸基を保護
した糖類Ｒ''−Ｚのグリコシル化反応を行い、脱保護（Ｒ''→Ｒ）することにより製造す
ることができる。
【００６０】
グリコシル化反応の反応条件は特に限定されないが、例えば、ルイス酸を用いて実施さ
れる。脱保護の反応条件も特に限定されないが、特定の保護基に対してグリコシド結合を
損なわない脱離反応条件を選択して実施される。
【化８】
2019193684.tif 000018
【００６１】
さらに、前記の一般式（Ｉ）で表される化合物のうち、ＸとＹがともに水素原子であり
Ｒがカルボニル基である一般式（ＩＸ）で表されるエステル化合物は、例えば、一般式（
ＶＩＩＩ）で表されるアルコールと、水酸基を保護したグリセリン酸エステルとのエステ
ル交換又は水酸基を保護したグリセリン酸とのエステル化後、脱保護することにより製造
することができる。
【００６２】
上記の一般式（Ｖ）、（ＶＩＩ）、及び（ＶＩＩＩ）の化合物は、限定するものではな
いが以下のようにして合成することができる。
【００６３】
式中ｎ＝２、ｍ＝２、及び、ｎ＝２、ｍ＝１であるエステル化合物（式（Ｖ））は、例
えば、相当する３級アルコールから、オルト酢酸エステルを用いたジョンソン・クライゼ
ン反応によって得られる。
【００６４】
式中ｎ＝１、ｍ＝２；又はｎ＝１、ｍ＝１であるエステル化合物（式（Ｖ））は、例え
ば、相当する式中ｎ＝０、ｍ＝２；又はｎ＝０、ｍ＝１であるアルコール（式（ＶＩＩＩ
））の水酸基をブロモ化した後、金属マグネシウムを添加して得たグリニャール試薬を二
酸化炭素と作用させるか、又はシアン化物による置換反応を行い加水分解することによっ
てカルボン酸を得た後、さらにエステル化することによって得られる。
【００６５】
式中ｎ＝０、ｍ＝２、及び、ｎ＝０、ｍ＝１であるエステル化合物（式（Ｖ））は、例
えば、相当するカルボン酸をエステル化することによって得られる。
【００６６】
式中ｎ＝２、ｍ＝２；ｎ＝２、ｍ＝１；ｎ＝１、ｍ＝２；ｎ＝１、ｍ＝１；ｎ＝０、ｍ
＝２；又はｎ＝０、ｍ＝１であるアルコール（式（ＶＩＩＩ））は、例えば、式中ｎ＝２
、ｍ＝２；ｎ＝２、ｍ＝１；ｎ＝１、ｍ＝２；ｎ＝１、ｍ＝１；ｎ＝０、ｍ＝２；又はｎ
＝０、ｍ＝１であるエステル化合物（式（Ｖ））又はそのカルボン酸を水素化アルミニウ
ムリチウム等で還元することによって得られる。
【００６７】
式中ｎ＝２、ｍ＝２；ｎ＝２、ｍ＝１；ｎ＝１、ｍ＝２；ｎ＝１、ｍ＝１；ｎ＝０、ｍ
＝２；又はｎ＝０、ｍ＝１である脱離基Ｚを有する化合物（ＶＩＩ）は、例えば、ｎ＝２
、ｍ＝２；ｎ＝２、ｍ＝１；ｎ＝１、ｍ＝２；ｎ＝１、ｍ＝１；ｎ＝０、ｍ＝２；又はｎ
＝０、ｍ＝１であるアルコール（式（ＶＩＩＩ））をトシル基若しくはメシル基等のスル
ホニルオキシ基、又は塩素原子、臭素原子若しくはヨウ素原子等のハロゲン原子などの脱
離基に変換することによって得られる。
【００６８】
合成された化合物については、ＮＭＲ測定等の常法により、目的の化合物が得られたこ
とを確認しておくことが好ましい。
【００６９】
４.エマルション組成物及び癒着防止剤
上記の脂質化合物、油分、及び界面活性剤を水相中に含有するエマルション組成物（エ
マルション）は、癒着防止効果を有する。本発明は、上記の脂質化合物、油分、及び界面
活性剤を水相中に含有するエマルション組成物を含む癒着防止剤を提供する。
【００７０】
本発明に係るエマルション組成物（すなわち、乳化液）は、上記の脂質化合物、油分、
界面活性剤、及び水を含む微粒子を水相中に分散状態で含有する。本発明に係る、上記の
脂質化合物、油分、及び界面活性剤を水相中に含有するエマルション組成物は、いわゆる
液晶／水型（Ｌ／Ｗ型）エマルション（液晶エマルション）又は水中油型（Ｏ／Ｗ型）エ
マルションとして観察される。本発明に係るエマルション組成物は液晶エマルションであ
ることがより好ましい。本発明に係るエマルション組成物が液晶エマルション（液晶エマ
ルション組成物）である場合、上記の脂質化合物、油分及び水を含む液晶が界面活性剤に
よって微粒子形態で安定化され、水相中に分散している。そのような微粒子に含まれる液
晶は、非ラメラ液晶（ラメラ液晶ではない構造体）であり、具体的には、例えば、キュー
ビック液晶、逆ヘキサゴナル液晶又はスポンジ相（Ｌ３相）でありうる。上記の液晶はま
た、これらの液晶相を２つ以上含んでもよい。なお、上記微粒子中には、他の成分をさら
に含んでもよい。
【００７１】
本発明に係るエマルション組成物は、油分を含む。本発明では様々な油分を使用するこ
とができる。油分としては、以下に限定するものではないが、例えば、炭化水素油、エス
テル油、及び植物油や動物油などの油脂、ベヘニルアルコール、ステアリルアルコールな
どの高級アルコール、ステアリン酸、パルミチン酸などの高級脂肪酸等が挙げられる。油
分は、好ましくは、炭化水素油、エステル油、及び植物油からなる群から選択される少な
くとも１種であってよい。
【００７２】
炭化水素油としては、例えば、スクワラン、スクアレン、流動パラフィン、プリスタン
等が挙げられる。
【００７３】
エステル油としては、例えば、ミリスチン酸イソプロピル、ミリスチン酸オクチルドデ
シル、テトラヒドロファルネシル酢酸メチル、トリイソオクタン酸グリセリル、トリ（カ
プリル酸／カプリン酸）グリセリル、トリ２−エチルヘキサン酸グリセリル、テトラ２−
エチルヘキサン酸ペンタエリスリット、オクタン酸セチル、ラウリン酸ヘキシル、パルミ
チン酸オクチル、ステアリン酸イソセチル、イソステアリン酸イソプロピル、イソパルミ
チン酸オクチル、オレイン酸イソデシル、アジピン酸ジイソプロピル、セバシン酸ジエチ
ル、リンゴ酸ジイソステアリル、パルミチン酸イソプロピル、ステアリン酸ブチル、ミリ
スチン酸ミリスチル、ミリスチン酸セチル、オレイン酸デシル、ジメチルオクタン酸ヘキ
シルデシル、乳酸セチル、乳酸ミリスチル、酢酸ラノリン、イソステアリン酸イソセチル
、ヒドロキシステアリン酸コレステリル、１２−ヒドロキシステアリル酸コレステリル、
ジ−２−エチルヘキシル酸エチレングリコール、ジペンタエリスリトール脂肪酸エステル
、モノイソステアリン酸Ｎ−アルキルグリコール、ジカプリン酸ネオペンチルグリコール
、ジ−２−ヘプチルウンデカン酸グリセリン、トリ−２−エチルヘキシル酸トリメチロー
ルプロパン、トリイソステアリン酸トリメチロールプロパン、テトラ−２−エチルヘキシ
ル酸ペンタンエリスリトール、トリ−２−エチルヘキシル酸グリセリン、トリイソステア
リン酸トリメチロールプロパン、２−エチルヘキサン酸セチル、２−エチルヘキシルパル
ミテート、トリミリスチン酸グリセリン、トリ−２−ヘプチルウンデカン酸グリセライド
、ヒマシ油脂肪酸メチルエステル、オレイン酸エチル、アセトグリセライド、パルミチン
酸２−ヘプチルウンデシル、アジピン酸ジイソブチル、Ｎ−ラウロイル−Ｌ−グルタミン
酸−２−オクチルドデシルエステル、アジピン酸ジ−２−ヘプチルウンデシル、エチルラ
ウレート、セバチン酸ジ−２−エチルヘキシル、ミリスチン酸２−ヘキシルデシル、パル
ミチン酸２−ヘキシルデシル、アジピン酸２−ヘキシルデシル、セバチン酸ジイソプロピ
ル、コハク酸２−エチルヘキシル、酢酸エチル、酢酸ブチル、酢酸アミル、クエン酸トリ
エチル等が挙げられる。
【００７４】
植物油としては、例えば、オリーブ油、ヒマシ油（カスターオイル）、ホホバ油、ロー
ズヒップ油、アボガド油、ツバキ油、コーン油、ナタネ油、ゴマ油、サザンカ油、シソ油
、アマニ油、サフラワー油、綿実油、大豆油、落花生油、茶実油（ティーシードオイル）
、カヤ油、コメヌカ油、アンズ油、グレープシード油、ヒマワリ油等が挙げられる。
【００７５】
本発明で用いる油分の特に好ましい例として、スクワラン、スクアレン、ミリスチン酸
イソプロピル、ミリスチン酸オクチルドデシル、テトラヒドロファルネシル酢酸メチル、
ヒマシ油、及びオリーブ油からなる群から選択される１つ又は２つ以上の組み合わせが挙
げられる。
【００７６】
本発明に係るエマルション組成物は、さらに界面活性剤を含む。本発明で用いる界面活
性剤は、液晶形成に悪影響を及ぼしにくく、また上記の脂質化合物、油分及び水を含む液
晶を水相中に安定的に微粒子形態で分散させることができる界面活性剤が好ましい。その
ような例として、親水性のエチレンオキシドと疎水性のプロピレンオキシドのブロック共
重合体（ポリオキシエチレンポリオキシプロピレングリコール）、ポリオキシエチレンア
ルキルエーテル、ポリオキシエチレンアルキルエステル、ポリオキシエチレン硬化ヒマシ
油をはじめとする、非イオン性界面活性剤が挙げられる。非イオン性界面活性剤としては
、分子量が１０００以上（より好ましくは、５０００以上）のものがより好ましい。エチ
レンオキシドとプロピレンオキシドのブロック共重合体としては、ポリオキシエチレン（
２００）ポリオキシプロピレン（７０）グリコール、ポリオキシエチレン（１９６）ポリ
オキシプロピレン（６７）グリコール、ポリオキシエチレン（１６０）ポリオキシプロピ
レン（３０）グリコール、ポリオキシエチレン（１２０）ポリオキシプロピレン（４０）
グリコールなどが挙げられる。これらエチレンオキシドとプロピレンオキシドのブロック
共重合体は、プルロニック（Ｒ）、ポロキサマー（Ｒ）、ユニルーブ（Ｒ）、プロノン（
Ｒ）などの様々な名称で市販されている。界面活性剤の特に好ましい例として、ポリオキ
シエチレン（２００）ポリオキシプロピレン（７０）グリコール、ポリオキシエチレン（
１９６）ポリオキシプロピレン（６７）グリコール（プルロニック（Ｒ）Ｆ１２７；ユニ
ルーブ７０ＤＰ−９５０Ｂ、ポロキサマー（Ｒ）４０７）等が挙げられるが、これらに限
定されない。なお、本発明で用いる上記脂質化合物は両親媒性であるが、本発明では上記
脂質化合物を界面活性剤の範囲に含めないものとする。
【００７７】
本発明では、油分を添加することにより、エマルションの調製を容易にするとともに、
エマルションの安定性を高めることができる。油分を含む本発明のエマルション組成物は
、脂質化合物を従来よりも高い濃度で含有する場合でも、エマルション状態で容易に調製
することができ、また高い保存安定性を示す。本発明のエマルション組成物は、エマルシ
ョン組成物の総重量に対し、上記脂質化合物を１５重量％以上含む場合でも、高い保存安
定性を示す。本発明のエマルション組成物は、エマルション組成物の総重量に対し、上記
脂質化合物を好ましくは１５重量％以上、より好ましくは１８〜５０重量％、さらに好ま
しくは２１〜５０重量％、特に好ましくは２１〜４０重量％、例えば２１〜３０重量％、
２１〜３５重量％又は２５〜４０重量％の量で含みうる。
【００７８】
本発明のエマルション組成物は、油分を、好ましくは、脂質化合物の含量の０．５〜４
０重量％、より好ましくは１〜３０重量％、例えば５〜３０重量％、７〜１５重量％又は
１０〜２０重量％の量で含みうる。本発明のエマルション組成物はまた、エマルション組
成物の総重量に対し、油分を、好ましくは０．０５〜２０重量％、より好ましくは０．０
５〜１０重量％、例えば０．１〜１０重量％、１〜５重量％又は２〜１０重量％含みうる
。
【００７９】
本発明のエマルション組成物は、適当量の界面活性剤を含むが、好ましくは、脂質化合
物の含量の１０〜４０重量％、より好ましくは２０〜４０重量％、例えば２０〜３０重量
％の量で界面活性剤を含みうる。本発明のエマルション組成物はまた、エマルション組成
物の総重量に対し、界面活性剤を、好ましくは１．５〜２０重量％、より好ましくは３〜
１５重量％、例えば３〜１０重量％、４．５〜１０重量％又は５〜８重量％含みうる。
【００８０】
一実施形態では、本発明に係るエマルション組成物は、脂質化合物として、モノＯ−（
５，９，１３−トリメチルテトラデカ−４−エノイル）グリセロール、モノＯ−（５，９
，１３−トリメチルテトラデカ−４，８，１２−トリエノイル）グリセロール、モノＯ−
（５，９，１３−トリメチルテトラデカノイル）グリセロール、モノＯ−（５，９，１３
，１７−テトラメチルオクタデカ−４−エノイル）ジグリセロール、モノＯ−（５，９，
１３，１７−テトラメチルオクタデカノイル）エリスリトール、及び１−Ｏ−（３，７，
１１，１５−テトラメチルヘキサデシル）−β−Ｄ−キシロピラノシドからなる群から選
択される少なくとも１つを含みうる。さらなる実施形態では、本発明に係るエマルション
組成物は、脂質化合物として、モノＯ−（５，９，１３−トリメチルテトラデカ−４−エ
ノイル）グリセロール、モノＯ−（５，９，１３−トリメチルテトラデカ−４，８，１２
−トリエノイル）グリセロール、モノＯ−（５，９，１３−トリメチルテトラデカノイル
）グリセロール、モノＯ−（５，９，１３，１７−テトラメチルオクタデカ−４−エノイ
ル）ジグリセロール、モノＯ−（５，９，１３，１７−テトラメチルオクタデカノイル）
エリスリトール、及び１−Ｏ−（３，７，１１，１５−テトラメチルヘキサデシル）−β
−Ｄ−キシロピラノシドからなる群から選択される少なくとも１つを含み、かつ油分とし
てスクワラン、スクアレン、ミリスチン酸イソプロピル、ミリスチン酸オクチルドデシル
、テトラヒドロファルネシル酢酸メチル、ヒマシ油、及びオリーブ油からなる群より選択
される少なくとも１つを含みうる。好ましい実施形態では、本発明に係るエマルション組
成物において、表１及び表６に示す各サンプル又は試験で使用した脂質、油分、及び界面
活性剤の組み合わせを有利に用いることができる。
【００８１】
本発明に係るエマルション組成物は水性媒体を含む。主に水性媒体により水相が構成さ
れる。水性媒体は、特に限定するものではないが、注射用水、滅菌水、精製水、蒸留水、
イオン交換水、超純水などの水；生理的食塩水、塩化ナトリウム水溶液、塩化カルシウム
水溶液、塩化マグネシウム水溶液、硫酸ナトリウム水溶液、硫酸カリウム水溶液、炭酸ナ
トリウム水溶液、酢酸ナトリウム水溶液等の電解質水溶液；リン酸緩衝溶液やトリス塩酸
緩衝溶液などの緩衝溶液；エタノール、グリセリン、エチレングリコール、ブチレングリ
コール等の水溶性有機物を含有する水溶液；グルコース、スクロース、マルトース、又は
ヒアルロン酸若しくはその塩等の糖を含有する水溶液；ポリエチレングリコール、ポリビ
ニルアルコール、カルボキシビニルポリマー等の水溶性高分子を含む水溶液であってよい
。本発明のエマルション組成物において用いる水性媒体は、生理学的に許容される水又は
水溶液であることが好ましい。水性媒体の含量は、エマルション組成物の総重量に対して
、典型的には４０〜９０重量％、好ましくは５０〜８０重量％であるが、これらの範囲に
限定されるものではない。本発明に係るエマルション組成物はエタノールを含んでも含ま
なくてもよく、そのエタノール含量は、エマルション組成物の総重量に対し、限定するも
のではないが、例えば０〜５重量％でありうる。なお本明細書において「重量％」は「質
量％」に置き換えることができる。
【００８２】
本発明のエマルション組成物を含む癒着防止剤は、他の物質をさらに含んでもよい。
【００８３】
本発明のエマルション組成物は、油相と水相を混合し、乳化することにより調製するこ
とができる。水相としては、水性媒体、又は水性媒体と水溶性成分の混合液を用いること
ができる。より具体的には、上記の脂質化合物、油分、及び界面活性剤、並びに必要に応
じて他の成分を混合し溶解することにより油相を調製した後、それを水相に添加するか又
はそれに水相を添加して撹拌等による混合、及び、微粒子化（エマルション化）によって
、本発明のエマルション組成物を調製できる。油相を調製する際、溶解を促進するために
加温してもよく、例えば４０〜６０℃（一例では５０℃）に加温してもよい。水性媒体は
必要に応じて常温のものであっても加温又は冷却したものであってもよい。あるいは、界
面活性剤や他の成分を油相ではなく水相に溶解し、その水相と、上記の脂質化合物及び油
分を含む油相とを混合してもよい。得られた混合液をさらに高圧ホモジナイザー、超音波
ホモジナイザー、回転式ホモジナイザー、湿式ジェットミル、ディスパーザー、ホモミキ
サー等の装置を用いて微粒子化（エマルション化）することができる。その中でも、粒子
径がより小さく、かつ、より均質に分散させるために、高圧下で、典型的には高圧ホモジ
ナイザーで微粒子化（エマルション化）することがより好ましい。しかし油相と水相の混
合、及び、微粒子化（エマルション化）は、ここで記載した方法には限定されず、エマル
ションを作製するための任意の方法を用いて行うことができる。このようにして、脂質化
合物、油分、及び界面活性剤を水相中に含有するエマルション（エマルション組成物）を
調製することができる。
【００８４】
本発明に係るエマルション組成物、及びそれを含む癒着防止剤は、癒着の恐れがある生
体組織や臓器に適用することにより、生体組織や臓器の癒着を防止することができる。本
発明において「癒着防止効果」とは、生体組織や臓器が他の生体組織や臓器と癒着して剥
離困難になる状態を防止するか、及び／又は癒着を完全に抑制する（阻止）若しくは低レ
ベルに抑制する（低減）効果をいう。
【００８５】
本発明に係るエマルション組成物、及びそれを含む癒着防止剤の癒着防止効果は、適用
された組織又は臓器の表面において、エマルション中の生体付着性の高い微粒子が組織上
に高密度に定着して、被覆を形成することにより、もたらされるものである。形成された
被覆が、組織又は臓器と他の組織又は臓器との接触を妨げることで、癒着が阻止又は低減
される。
【００８６】
本発明に係るエマルション組成物及び癒着防止剤の癒着防止効果は、開腹した動物モデ
ルの組織又は臓器切開部に本発明に係るエマルション組成物又は癒着防止剤を適用し、腹
を閉じた後、切開縫合部の経過を観察することにより確認することができる。具体的には
、ラットを腹部正中切開（例えば約３０ｍｍ）で開腹し、左右の上腹部壁側腹膜に約２０
ｍｍの切開を加え、完全に止血した後、（例えば５−０絹糸を用いて）腹膜切開部を連続
縫合閉鎖し、一方の側の腹膜切開縫合部を覆うように本発明に係るエマルション組成物又
は癒着防止剤を適用し、次いで腹壁を縫合閉鎖し、さらにこの手術の一定期間後（例えば
７日後）に再び開腹して腹膜切開縫合部に癒着がみられるかどうかを評価すればよい。本
発明に係るエマルション組成物又は癒着防止剤を適用しなかった側の腹膜切開縫合部は、
無処置対照として用いることができる。
【００８７】
本発明に係るエマルション組成物又は癒着防止剤の適用は、その剤形に応じた方法で実
施すればよい。この評価におけるエマルション組成物又は癒着防止剤の適用量は、典型的
には、脂質量で１０〜２０ｍｇとなる量とすることが好ましい。
【００８８】
癒着防止効果は、例えば、癒着強度について、以下のようにスコアリングすることによ
って評価することができる。
【００８９】
・グレード０  癒着なし
・グレード１  軽い牽引で剥離可能な癒着（組織損傷を伴わない）
・グレード２  強い牽引で剥離可能な癒着（組織損傷を伴わない）
・グレード３  強い牽引での剥離により組織損傷を伴う癒着
【００９０】
複数の動物モデルを用いて同じ実験を行い、癒着強度スコアの平均値を算出する。無処
置対照と比較して癒着強度スコアの平均値が低い場合、本発明に係るエマルション組成物
又は癒着防止剤は、剥離困難な強い癒着を低減することができ、癒着防止効果が認められ
ると判断することができる。
【００９１】
癒着防止効果はまた、例えば、癒着範囲率を算出することによって評価することができ
る。癒着範囲率（％）は、切開縫合部の長さに対する癒着長さの割合（％）である。複数
の動物モデルを用いて同じ実験を行い、癒着範囲率の平均値を算出する。無処置対照と比
較して、癒着範囲率（％）が低いほど、本発明に係るエマルション組成物又は癒着防止剤
は癒着範囲をより狭めることができ、より高い癒着防止効果が認められると判断すること
ができる。
【００９２】
本発明では、本発明に係るエマルションに油分を配合することにより、癒着防止効果を
向上させることができる。油分を含む本発明に係るエマルション組成物又は癒着防止剤は
、高い癒着防止効果を有する。特に高濃度（例えば、エマルション組成物の総重量に対し
て１５重量％以上、特に１８重量％以上）の脂質化合物を含有する本発明に係るエマルシ
ョン組成物又は癒着防止剤は、癒着を生じにくくすることができる。
【００９３】
なお上記脂質化合物自体の癒着防止効果は特許文献６（国際公開第ＷＯ  ２０１４／１
７８２５６号）において実証されている。
【００９４】
本発明に係るエマルション組成物及び癒着防止剤は、好ましくは、高い脂質濃度であっても高い保存
安定性を示し、長期の保存期間にわたり凝集物（凝集塊など）の生成を抑制することがで
きる。本発明のエマルション組成物及び癒着防止剤においては、例えば、１カ月以上、好
ましくは２カ月以上、さらに好ましくは３カ月以上、特に好ましくは１０カ月以上（例え
ば１４カ月）の保存期間の経過後でも、含まれる微粒子の平均粒子径が大きく変化せず、
凝集物（特に、凝集塊）の生成が効果的に抑制される。
【００９５】
また、本発明に係るエマルション組成物では、油分を配合することにより、高脂質濃度
であっても粘度の上昇が抑制されている。そのため本発明では、油分を配合することによ
り、高脂質濃度でもエマルション組成物の調製を容易にすることができる。したがって本
発明に係るエマルション組成物を含む癒着防止剤は、粘度の上昇が望ましくない剤形、例
えばスプレー剤や注射剤等に用いる上でも有用である。
【００９６】
本発明に係るエマルション組成物及びそれを含む癒着防止剤は、任意の剤形（典型的に
は、非経口剤形）に製剤化されてもよいが、エアゾール剤やポンプスプレー剤などのスプ
レー剤、塗布剤、注射剤等の、生体組織又は臓器上に直接適用することができ、かつ操作
性がよい剤形に製剤化されることが好ましい。本発明において、スプレー剤とは、手動、
動力、噴射剤（ガス）又は他の任意の手段によって圧力をかけることにより目的物質を液
滴状、霧状、微粒子状、又は泡状等に噴出させる剤形の医薬をいう。スプレー剤は、目的
物質を噴出させる際にガス（例えば空気）を容器内に送り込む（例えばガスコンプレッサ
ー等により）ためのものであってもよいし、スプレーチップを用いて噴出させるためのも
のであってもよい。本発明においてエアゾール剤とは、同一容器内に目的物質とともに充
填した噴射剤の圧力により目的物質を噴出させる剤形の医薬をいう。本発明においてポン
プスプレー剤とは、霧吹き器などの手動式スプレー容器や動力式の噴霧器などを用いて、
噴射剤を利用せずに目的物質を噴出させる剤形の医薬をいう。本発明に係るエマルション
組成物及び癒着防止剤は、医用材料であってよく、「癒着防止材」と称される場合がある
。
【００９７】
本発明に係るエマルション組成物及び癒着防止剤は、製薬上許容される担体及び／又は
添加剤などをさらに含む組成物であってよい。製薬上許容される担体及び添加剤は、安定
なエマルション形成を顕著に損なわない限り、使用する剤形に合わせて当業者が適切なも
のを選択することができる。製薬上許容される添加剤としては、例えば、医薬に一般に使
用される保存剤、矯臭剤、着色剤、pH調整剤等が挙げられるが、これらに限定されない。
【００９８】
本発明は、本発明に係るエマルション組成物又は癒着防止剤を、患者の患部、具体的に
は癒着のおそれがある部位、具体的には組織修復が起こると想定される部位（例えば体内
の炎症部位又は損傷部位）に有効量で適用することを含む、患部における生体組織又は臓
器の癒着を防止する方法も提供する。そのような癒着のおそれがある部位の具体例として
は、体内の外因性又は内因性の炎症部位、手術における切開部位などの創傷部位、手術中
に触れるなどの人為的処理によって組織表面が損傷した部位などが挙げられる。癒着のお
それがある部位は、好ましくは体内の組織又は臓器にある部位である。本発明において「
損傷部位」とは、手術、外傷、疾患等により損傷を受けた組織又は臓器の部分をいう。本
発明に係るエマルション組成物又は癒着防止剤を適用する組織又は臓器の例としては、腹
膜、小腸、大腸、直腸、胃、十二指腸、盲腸、肝臓、子宮、卵管、リンパ管、心臓、心膜
、肺、硬膜（脊髄、脳）、脳、卵巣、腱等が挙げられるが、これらに限定するものではな
い。典型例では、本発明に係るエマルション組成物又は癒着防止剤は、手術の際、切開部
（例えば、切開縫合部）、切開部周囲、又は切開部を有する臓器全体に適用される。本発明に係るエマルション組
成物又は癒着防止剤は、癒着のおそれがある部位、例えば創傷部位や炎症部位など、に接
触するであろう体内部位に適用してもよい。
【００９９】
損傷部位（例えば、創傷部位）や炎症部位などの患部への適用は、本発明に係るエマル
ション組成物又は癒着防止剤の剤形に応じた方法を用いればよい。例えば、本発明に係る
エマルション組成物又は癒着防止剤がポンプスプレー剤であれば、例えば汎用的な手動式
などの非ガス噴射式のスプレー容器を用いて、本発明に係るエマルション組成物又は癒着
防止剤を損傷部位（例えば、創傷部位）や炎症部位などの患部にスプレーすることができ
る。内視鏡下手術や腹腔鏡下手術の場合には、内視鏡下手術や腹腔鏡下手術の際に用いる
スプレーノズル等を用いて本発明に係るエマルション組成物又は癒着防止剤を損傷部位（
例えば、創傷部位）などの患部にスプレーすることもできる。本発明において「スプレー
する」とは、圧力をかけて目的物質を液滴状、霧状、微粒子状、又は泡状等に噴出させる
（噴霧及び／又は噴射させる）ことをいう。本発明に係るエマルション組成物又は癒着防
止剤がエアゾール剤であれば、ガス噴射式エアゾール容器を用いて、損傷部位（例えば、
創傷部位）や炎症部位などの患部に本発明に係るエマルション組成物又は癒着防止剤を噴
出させればよい。本発明に係るエマルション組成物又は癒着防止剤が塗布剤であれば、適
量を取り、損傷部位（例えば、創傷部位）や炎症部位などの患部に塗布すればよい。本発
明に係るエマルション組成物又は癒着防止剤が注射剤の場合には、損傷部位（例えば、創
傷部位）や炎症部位などの患部に癒着防止剤を注入すればよい。
【０１００】
本発明に係るエマルション組成物又は癒着防止剤は、損傷部位（例えば、創傷部位）や
炎症部位などの患部を十分に覆うことができる量で損傷部位（例えば、創傷部位）や炎症
部位などの患部に適用することが好ましい。本発明に係る癒着防止剤の具体的な適用量は
、好ましい一実施形態では、適用部位１ｃｍ２当たりの上記脂質化合物の量で０．１ｍｇ
〜３００ｍｇ、例えば０．１〜１００ｍｇ、５〜３００ｍｇ又は１〜６０ｍｇでありうる
。
【０１０１】
本発明に係るエマルション組成物又は癒着防止剤を適用する対象（患者）は、典型的に
は、ヒト、家畜、愛玩動物、実験動物等などの哺乳動物を始めとする動物である。外科手
術、外傷、疾患等により組織（臓器）が損傷を受けたか又は受けると見込まれる対象が特
に好ましい。外科手術には、開腹手術の他、内視鏡下手術や腹腔鏡下手術なども含まれる
。
【０１０２】
本発明に係るエマルション組成物又は癒着防止剤は、本発明に係るエマルション組成物
又は癒着防止剤を患部に適用した後、腹壁縫合等のさらなる医療処置を行う前に、一定時
間の待機時間を設けてもよいが、設けなくてもよい。本発明に係るエマルション組成物又
は癒着防止剤は、所定の待機時間を設けなくても、ごく短時間のうちに、エマルション中
の生体付着性の高い微粒子が組織上に高密度に定着し、患部を効果的に被覆することがで
きる。
【０１０３】
本発明に係るエマルション組成物又は癒着防止剤を患部に適用した後、腹壁縫合等のさ
らなる医療処置を必要に応じて行い、癒着防止処置を完了する。本発明に係るエマルショ
ン組成物又は癒着防止剤は生体適合性が高く、また通常は、癒着防止機能を発揮した後に
体内で分解・排出されることから手術等により後で除去する必要がなく、有利に利用でき
る。
【実施例】
【０１０４】
以下、実施例を用いて本発明をさらに具体的に説明する。但し、本発明の技術的範囲は
これら実施例に限定されるものではない。
なお、下記実施例１、３に記載した各化合物自体の粘度は粘度・粘弾性測定装置（Ｇｅ
ｍｉｎｉ  ＩＩ、マルバーン社）を使用し、温度２５℃にて測定した。
【０１０５】
［実施例１］  モノＯ−（５，９，１３−トリメチルテトラデカ−４，８，１２−トリエ
ノイル）グリセロールの合成
【化９】
2019193684.tif 000019
【０１０６】
２００〜２５０ｍｍＨｇの減圧下、グリセロール９．２ｇ（０．１０ｍｏｌ）及び炭酸
カリウム０．２８ｇ（２．０ｍｍｏｌ）の乾燥Ｎ，Ｎ−ジメチルホルムアミド（２０ｍＬ
）溶液に、８５℃で５，９，１３−トリメチルテトラデカ−４，８，１２−トリエン酸メ
チル（ファルネシル酢酸メチル）１３．９ｇ（５０．０ｍｍｏｌ）を徐々に滴下し、同一
温度で３時間撹拌した。この間、反応で生じたメタノールは留去した。得られた反応溶液
を酢酸エチル／ヘキサン混合溶媒（１：１，１５０ｍＬ）で希釈し、水、飽和重曹水、飽
和食塩水（２回）で洗浄した後、硫酸マグネシウムで乾燥した。濾過後濃縮することによ
って得られた残渣をシリカゲルカラムクロマトグラフィー（ヘキサン／酢酸エチル＝１０
０：０〜０：１００）で精製することにより、表題の化合物８．２２ｇ（収率４９％）を
無色透明液体として得た。得られた化合物について１Ｈ−ＮＭＲ測定及び粘度測定を行っ
た結果は以下の通りである。
【０１０７】
１Ｈ−ＮＭＲスペクトル（２７０ＭＨｚ，ＣＤＣｌ３，ＴＭＳ）δ：１．５−１．８（
ｍ，１２Ｈ），１．９−２．１（ｍ，８Ｈ），２．１（ｂｒｓ，１Ｈ，ＯＨ），２．２５
−２．４５（ｍ，４Ｈ），２．５６（ｂｒｓ，１Ｈ，ＯＨ），３．５９（ｄｄ，Ｊ＝５．
６，１１．２Ｈｚ，１Ｈ），３．６８（ｄｄ，Ｊ＝３．６，１１．２Ｈｚ，１Ｈ），３．
９２（ｍ，１Ｈ），４．１４（ｄｄ，Ｊ＝６．０，１１．６Ｈｚ，１Ｈ），４．２１（ｄ
ｄ，Ｊ＝４．８，１１．６Ｈｚ，１Ｈ），５．０２−５．１６（ｍ，３Ｈ）
粘度：０．２６Ｐａ・ｓ（せん断速度９２  １／ｓ）
【０１０８】
合成されたモノＯ−（５，９，１３−トリメチルテトラデカ−４，８，１２−トリエノ
イル）グリセロールを、ファルネシル酢酸グリセリルとも称する。
【０１０９】
［実施例２］  モノＯ−（５，９，１３−トリメチルテトラデカノイル）グリセロールの
合成
【化１０】
2019193684.tif 000020
【０１１０】
５，９，１３−トリメチルテトラデカン酸メチル５０．３ｇ（１７７ｍｍｏｌ）に２，
２−ジメチル−１，３−ジオキソラン−４−メタノール７０ｇ（０．５３ｍｏｌ）と炭酸
カリウム３６．７ｇ（２６６ｍｍｏｌ）を添加し、２００〜２５０ｍｍＨｇの減圧下、８
５℃で３時間撹拌した。この間、反応で生じたメタノールは留去した。得られた反応溶液
を減圧濃縮（５０℃→２１０℃、１．４ｋＰａ→０．３８ｋＰａ）した後、シリカゲルカ
ラムクロマトグラフィー（ヘキサン／酢酸エチル）で精製することにより、５，９，１３
−トリメチルテトラデカン酸（２，２−ジメチル−１，３−ジオキソラン−４−イル）メ
チル４３．０ｇ（収率６３％）を得た。
【０１１１】
５，９，１３−トリメチルテトラデカン酸（２，２−ジメチル−１，３−ジオキソラン
−４−イル）メチル３２．７ｇ（８５．０ｍｍｏｌ）のテトラヒドロフラン（３４０ｍＬ
）溶液に、室温で３Ｍ塩酸８５ｍＬを添加し、同一温度で５時間撹拌した。この反応溶液
を酢酸エチル（３００ｍＬ）、飽和重曹水（４００ｍＬ）に加えて分液した。得られた有
機層を飽和食塩水で洗浄した後、硫酸マグネシウムで乾燥した。濾過後濃縮することによ
って得られた残渣をシリカゲルカラムクロマトグラフィー（ヘキサン／酢酸エチル）で精
製することにより、表題の化合物２８．７ｇ（収率９８％）を無色透明液体として得た。
得られた化合物について１Ｈ−ＮＭＲを測定した結果は以下の通りである。
【０１１２】
１Ｈ−ＮＭＲスペクトル（２７０ＭＨｚ，ＣＤＣｌ３，ＴＭＳ）δ：０．７−０．９（
ｍ，１２Ｈ），０．９５−１．４５（ｍ，１６Ｈ），１．４５−１．７５（ｍ，３Ｈ），
２．３４  （ｔ，  Ｊ＝７．４Ｈｚ，  ２Ｈ），３．６０（ｄｄ，Ｊ＝５．８，１１．５
Ｈｚ，１Ｈ），３．７０（ｄｄ，Ｊ＝４．０，１１．５Ｈｚ，１Ｈ），３．９４（ｍ，１
Ｈ），４．１５（ｄｄ，Ｊ＝５．９，１１．７Ｈｚ，１Ｈ），４．２１（ｄｄ，Ｊ＝４．
７，１１．７Ｈｚ，１Ｈ）
【０１１３】
合成されたモノＯ−（５，９，１３−トリメチルテトラデカノイル）グリセロールを、
飽和Ｃ１７グリセリンエステルとも称する。
【０１１４】
［実施例３］  モノＯ−（５，９，１３−トリメチルテトラデカ−４−エノイル）グリセ
ロールの合成
【化１１】
2019193684.tif 000021
【０１１５】
グリセロール０．６５ｇ（７．１ｍｍｏｌ）及び炭酸カリウム０．５９ｇ（４．３ｍｍ
ｏｌ）の乾燥Ｎ，Ｎ−ジメチルホルムアミド（３．５ｍＬ）溶液に、８０℃で５，９，１
３−トリメチルテトラデカ−４−エン酸メチル（テトラヒドロファルネシル酢酸メチル）
１．０ｇ（３．５ｍｍｏｌ）をゆっくり滴下した。１００℃で１８時間撹拌した後、反応
液に１Ｍ塩酸を添加し、エーテルで抽出した。抽出液を飽和重曹水、飽和食塩水で順次洗
浄し、無水硫酸ナトリウムで乾燥し、ろ過、濃縮した。得られた残渣をシリカゲルカラム
クロマトグラフィー（酢酸エチル／ヘキサン混液）で精製することにより、表題の化合物
を無色透明液体として得た。
【０１１６】
得られた化合物について、１Ｈ−ＮＭＲ測定及び粘度測定を行った結果は以下の通りで
ある。
１Ｈ−ＮＭＲスペクトル（３００ＭＨｚ，ＣＤＣｌ３，ＴＭＳ）δ：０．８０−０．９
０（ｍ，９Ｈ），１．００−１．７０（ｍ，１５Ｈ），１．９７（ｔｄ，Ｊ＝７．８，１
７．０Ｈｚ，２Ｈ），２．１３（ｔ，Ｊ＝６．１Ｈｚ，１Ｈ，ＯＨ），２．２５−２．４
５（ｍ，４Ｈ），２．５５（ｄ，Ｊ＝５．２Ｈｚ，１Ｈ，ＯＨ），３．５０−４．００（
ｍ，３Ｈ），４．１０−４．２５（ｍ，２Ｈ），５．０８（ｔ，Ｊ＝６．７Ｈｚ，１Ｈ）
粘度：０．４８Ｐａ・ｓ（せん断速度９２  １／ｓ）
【０１１７】
合成されたモノＯ−（５，９，１３−トリメチルテトラデカ−４−エノイル）グリセロ
ールを、Ｃ１７グリセリンエステルとも称する。
【０１１８】
［実施例４］  モノＯ−（５，９，１３，１７−テトラメチルオクタデカ−４−エノイル
）ジグリセロール
【化１２】
2019193684.tif 000022
【０１１９】
６０〜７０ｍｍＨｇの減圧かつ窒素気流下、ジグリセロール２５９ｇ（１．５６ｍｏｌ
）及び炭酸カリウム１．５８ｇ（１．１５ｍｍｏｌ）の乾燥Ｎ，Ｎ−ジメチルホルムアミ
ド（７００ｍＬ）溶液に、７８〜８３℃で５，９，１３，１７−テトラメチルオクタデカ
−４−エン酸メチル１９９ｇ（０．５６４ｍｏｌ）を徐々に滴下した。同一温度で１０時
間撹拌した後、７５℃でギ酸を添加しｐＨを４に調整した。得られた溶液を減圧濃縮した
後、ｔ−ブチルメチルエーテル（１．５Ｌ）で希釈し、生じた不溶物を濾別した。得られ
た濾液を１０％重曹水で２回洗浄した後、活性炭（８ｇ）で処理し脱色した。濾過後濃縮
して得られた残渣をエタノールで溶解し、セルロースパウダーで濾過した。濃縮して得ら
れた残渣をシリカゲルカラムクロマトグラフィー（ヘキサン／酢酸エチル混液）で精製す
ることにより、表題の化合物を透明粘性液体として得た。
【０１２０】
得られた化合物について、１Ｈ−ＮＭＲ測定を行った結果は以下の通りである。
１Ｈ−ＮＭＲスペクトル（３００ＭＨｚ，ＣＤＣｌ３，ＴＭＳ）δ：０．８０−０．９
０（ｍ，１２Ｈ），１．００−１．７０（ｍ，２２Ｈ），１．９７（ｄｄｄ，Ｊ＝６．９
，７．８，１７．４Ｈｚ，２Ｈ），２．２０−２．４５（ｍ，４Ｈ），３．５０−４．１
０（ｍ，８Ｈ），４．１０−４．２５（ｍ，２Ｈ），５．０８（ｄｄ，Ｊ＝６．６，６．
６Ｈｚ，１Ｈ）
【０１２１】
［実施例５］  モノＯ−（５，９，１３，１７−テトラメチルオクタデカノイル）エリス
リトールの合成
【化１３】
2019193684.tif 000023
【０１２２】
窒素雰囲気下、５，９，１３，１７−テトラメチルオクタデカン酸１０ｇ、塩化メチレ
ン２０ｍｌにピリジンを１滴加え、室温で塩化チオニル５．２ｇを滴下した。滴下終了後
、１時間還流し、減圧下に濃縮して５，９，１３，１７−テトラメチルオクタデカン酸ク
ロリドを１０．５ｇ得た。
【０１２３】
エリスリトール２．５６ｇ、ピリジン２．２１ｇ、乾燥ＤＭＦ７０ｍｌを混合し加熱溶
解させた。室温まで冷却し、上記で得られた５，９，１３，１７−テトラメチルオクタデ
カン酸クロリド５ｇを塩化メチレン１０ｍｌに溶解した溶液を滴下し、滴下後１時間室温
で攪拌した。得られた反応液に塩化メチレン１００ｍｌを加え、飽和食塩水で３回洗浄し
、無水硫酸ナトリウムで乾燥した。濾過、減圧濃縮した後、シリカゲルカラムクロマトグ
ラフィーで精製することにより、透明半固体状のモノＯ−（５，９，１３，１７−テトラ
メチルオクタデカノイル）エリスリトールを２．８３ｇ得た。ＨＰＬＣ分析による本品の
純度は、１−Ｏ−（５，９，１３，１７−テトラメチルオクタデカノイル）エリスリトー
ル９１．６％、２−Ｏ−（５，９，１３，１７−テトラメチルオクタデカノイル）エリス
リトール８．４％であった。また１Ｈ−ＮＭＲ測定の結果は以下の通りであった。
【０１２４】
１Ｈ−ＮＭＲスペクトル（２７０ＭＨｚ、ＣＤＣｌ３，ＴＭＳ）δ：０．８−０．９（
ｍ，１５Ｈ），１．０−１．７（ｍ，２６Ｈ），２．１１（ｂｒ．ｓ，１Ｈ），２．３３
（ｔ，Ｊ＝７．９Ｈｚ，２Ｈ），２．６６（ｂｒ．ｓ，１Ｈ），２．７５（ｂｒ．ｓ，１
Ｈ），３．６−３．９（ｍ，４Ｈ），４．２９−４．３６（ｍ，２Ｈ）
【０１２５】
［実施例６］  １−Ｏ−（３，７，１１，１５−テトラメチルヘキサデシル）−β−Ｄ−
キシロピラノシドの合成
【化１４】
2019193684.tif 000024
【０１２６】
アルゴン雰囲気下、乾燥させたモレキュラーシーブ４Ａ（２ｇ）に、減圧乾燥したテト
ラ−Ｏ−アセチル−β−Ｄ−キシロピラノシド（５ｇ、１５．７ｍＭ）、１００ｍｌの塩
化メチレンを加え、１０〜３０分攪拌した。５〜８℃に冷却後、１Ｍ塩化スズの塩化メチ
レン溶液１６ｍｌを滴下し、室温で２０分撹拌した。−１０℃まで冷却した後、３，７，
１１，１５−テトラメチルヘキサデカノール（４．６９ｇ、１５．７ｍＭ）の１６ｍｌ塩
化メチレン溶液を３０分程かけて滴下し、そのまま４時間攪拌を続けた。この溶液を飽和
炭酸水素ナトリウム水溶液に注ぎ、塩化メチレン１００ｍｌで３回抽出した後に、水で洗
浄した。有機層を無水硫酸ナトリウムで乾燥後、濾過し、濃縮した。次いで混合物をシリ
カゲルカラムクロマトグラフィーで精製した（溶出溶媒：ヘキサン−酢酸エチル混合溶媒
）。
【０１２７】
得られた１−Ｏ−（３，７，１１，１５−テトラメチルヘキサデシル）−β−Ｄ−キシ
ロピラノシドトリアセテートをメタノール５．５ｍｌに溶解し、これに０．０５Ｍのナト
リウムメチラート２．５ｍｌを加えた。室温で４．５時間攪拌した後、等量の１Ｎ塩酸を
加えて中和した。溶液を濃縮した後、シリカゲルカラムクロマトグラフィーで精製（溶出
溶媒：クロロホルム−メタノール混合溶媒）した後、減圧乾燥し、表題の化合物１−Ｏ−
（３，７，１１，１５−テトラメチルヘキサデシル）−β−Ｄ−キシロピラノシドを、白
色ワックス状の固体として得た。１Ｈ−ＮＭＲ測定の結果は以下の通りであった。
【０１２８】
１Ｈ−ＮＭＲスペクトル（２７０ＭＨｚ、ＣＤＣｌ３，ＴＭＳ）δ：０．８−０．９（
ｍ，１５Ｈ），０．９５−１．７５（ｍ，２４Ｈ），２．７１（ｂｒｓ，１Ｈ，ＯＨ），
２．８７（ｂｒｓ，１Ｈ，ＯＨ），３．２６（ｂｒｓ，１Ｈ，ＯＨ），３．３７（ｄｄ，
Ｊ＝８．０，１１．９Ｈｚ，１Ｈ），３．４−３．６５（ｍ，３Ｈ），３．７４（ｍ，１
Ｈ），３．９０（ｍ，１Ｈ），４．０４（ｄｄ，Ｊ＝４．２，１１．９Ｈｚ，１Ｈ），４
．３７（ｄ，Ｊ＝６．０Ｈｚ，１Ｈ）
【０１２９】
［実施例７］  油分を含むエマルションの調製
後掲の表１に示す配合比に従って、実施例１〜３で合成した化合物（脂質）、油分、界
面活性剤としてプルロニックＦ１２７（ユニルーブ（Ｒ）７０ＤＰ−９５０Ｂ、日油株式
会社、又はＡｌｄｒｉｃｈ  Ｐ２４４３）、及びエタノール（ＥｔＯＨ；サンプルＮｏ．
１３及び１９には添加しない）を混合した後、５０℃の湯浴で溶解した。得られた溶液に
注射用水（大塚蒸留水）を添加後、薬匙又はスターラーチップで撹拌して、懸濁液とした
。さらに、この懸濁液を高圧ホモジナイザー（スターバストｍｉｎｉｍｏ、スギノマシン
製）で分散させることによって、微粒子を含有する白色のエマルションＮｏ．１〜３７を
調製した。これらエマルションは、それぞれ１０〜３０ｇの量で調製した。
【０１３０】
脂質に対して１％以上の様々な種類の油分を添加することによって、脂質濃度１５〜１
８％のエマルションはもとより、脂質濃度１８％より高濃度のエマルションも成功裏に調
製された。
【０１３１】
［比較例１］  油分を含まないエマルションの調製
表１に示す配合比に従い、油分を添加しないこと以外は実施例７と同様にして、微粒子
を含有する、脂質濃度１３．５％のエマルションＮｏ．３８、脂質濃度１５％のエマルシ
ョンＮｏ．３９、脂質濃度１８％のエマルションＮｏ．４０、脂質濃度１２％のエマルシ
ョンＮｏ．４１を調製した。これらエマルションは、７．３９ｇ（Ｎｏ．３８）、又は２
０ｇ（Ｎｏ．３９、４０、及び４１）の量で調製した。
【０１３２】
油分を含まないこれらのエマルションは、脂質濃度の上昇に伴い粘性が高まり、脂質濃
度１８％のエマルションまで、高圧ホモジナイザーを用いた調製が可能であった。
【０１３３】
［実施例８］  各エマルションの粒子径分布の測定
実施例７又は比較例１で調製したサンプルＮｏ．１〜４１の各エマルションに対して、ゼータサイザーＮａｎｏ−ＺＳ（マルバーン製）を使用して、動的光散乱法により粒子径分布を測定した。測定サンプルは各エマルションを蒸留水で２００倍希釈することにより調製した。各エマルションについて測定された平均粒子径（ｎｍ）（Ｚ−Ａｖｅｒａｇｅ）とＰｄＩ（多分散指数）を表１に示す。ＰｄＩの測定結果によって示されるように、試験したいずれのエマルションについても狭い径分布であった。
【０１３４】
【表１】
2019193684.tif 000025
【０１３５】
［実施例９］  各エマルションの液晶構造の解析
実施例７又は比較例１で調製したサンプルＮｏ．３、８、９、１１、１２、１４、１７、２３、２６、２７、２８、３０、３１、３３、３５、３７、及び３８の各エマルションについて、ＮＡＮＯ  Ｖｉｅｗｅｒナノスケールエックス線構造評価装置（Ｒｉｇａｋｕ製）を使用して、小角エックス線散乱（ＳＡＸＳ）による構造解析を行った。各エマルションを大気圧下にてキャピラリーに導入し、減圧状態の装置内で測定（試料自体は大気圧下）した。得られたＳＡＸＳの強度分布を図１〜１７に示す。サンプルＮｏ．３、８、９、１４、１７、２３、２６〜２８、３５、及び３７のエマルションから得られた散乱強度分布（図１〜３、６〜１１、１５、１６）では、少なくとも２本の散乱ピークが観測された。ピークの比は逆ヘキサゴナル液晶に特有の比１：√３：２を示したことから、それらのエマルションは逆ヘキサゴナル液晶の微粒子が水相に分散した液晶エマルション（ヘキサソーム）であることが示された。一方、サンプルＮｏ．１１、１２、及び３０，３１，３３のエマルションから得られた散乱強度分布（図４、５、１２〜１４）では、ブロードな散乱ピークが観測され、それらのエマルションはスポンジ相（Ｌ３相）の微粒子が水相に分散した液晶エマルションであると考えられた。さらに、サンプルＮｏ．３８のエマルションから得られた散乱強度分布（図１７）では、少なくとも６本の散乱ピークが観測され、ピークの比は結晶学的空間群Ｐｎ３ｍに属するキュービック液晶に特有の比√２：√３：√４：√６：√８：√９を示したことから、そのエマルションは結晶学的空間群Ｐｎ３ｍに属するキュービック液晶の微粒子が水相に分散した液晶エマルション（キューボソーム）であることが示された。
【０１３６】
［実施例１０］  ポンプスプレー剤の作製
実施例７又は比較例１で調製したサンプルＮｏ．２〜４、６、８〜１２、１４、１７、１８、２０、２１、２３、２６〜２８、３０、３１、３３、及び３５〜３８の各エマルション４〜５ｍＬを、それぞれ、手動式簡易スプレーボトル（スプレーバイアルＮｏ．２、マルエム製）に充填することによって、ポンプスプレー剤を作製した。
【０１３７】
各ポンプスプレー剤について、試験面まで約２ｃｍの距離を離して、１回スプレーしたところ、エマルションが付着した範囲は、いずれも略円形となった。全てのポンプスプレー剤の噴霧状態を表２に示した。また、サンプルＮｏ．２、４、６、８〜１２、１４、１７、１８、２０、２３、３０、３１、３３、及び３５〜３８を用いた各ポンプスプレー剤につき、１回スプレーあたりの噴霧量（ｍｇ）とそれに含まれる脂質量（ｍｇ；換算値）（ｎ＝５の平均値）、及び、１回スプレーあたりの噴霧面積（ｃｍ２）（ｎ＝３の平均値）も表２に示した。表２に示す通り、噴霧状態に多少の違いはあるが、いずれのサンプルもスプレーボトルを使用して噴霧することができた。
【０１３８】
【表２】
2019193684.tif 000026
【０１３９】
［実施例１１］  油分を含むエマルションの癒着防止効果の評価
１０週齢雌Ｗｉｓｔａｒラットを用いて各ポンプスプレー剤の癒着防止効果を評価した。実施例１０で作製した、サンプルＮｏ．２、４、６、９、１０、１４、１７、１８、３０、３１、３３、３７を、ポンプスプレー剤として用いた。まず、ラットに対しペントバルビタールを用いて全身麻酔を施行し、仰臥位とし、約３０ｍｍの腹部正中切開で開腹した。左右の上腹部壁側腹膜に約２０ｍｍの切開を加え、完全に止血した。５−０絹糸を用いて左右の腹膜切開部を６針で連続縫合閉鎖した。
【０１４０】
続いて、腹膜右側の切開縫合部に対して、各ポンプスプレー剤を縫合部まで約２ｃｍの距離から２回スプレーして、縫合部を被覆した（サンプル適用側）。腹膜左側の切開縫合部には何も適用しなかった（非適用側／対照）。腹膜右側の切開縫合部にサンプルを適用して、待機時間０分又は５分後、腹壁を２層で縫合閉鎖して手術を終了した。
【０１４１】
手術７日後、再度全身麻酔を施行し、開腹した。下記の癒着強度スコアリング及び癒着範囲率の定義に従って、サンプル適用側と非適用側の切開縫合部における癒着を評価した。
【０１４２】
癒着強度：
・グレード０  癒着なし
・グレード１  軽い牽引で剥離可能な癒着（組織損傷を伴わない）
・グレード２  強い牽引で剥離可能な癒着（組織損傷を伴わない）
・グレード３  強い牽引の剥離により組織損傷を伴う癒着
癒着範囲率：
約２０ｍｍの切開縫合部に対する癒着長さの割合（％）
癒着防止効果を評価した結果（試験Ｎｏ．１〜１３）を表３に示す。
【０１４３】
【表３】
2019193684.tif 000027
【０１４４】
いずれのサンプルも、非適用側と比較して、癒着強度と癒着範囲率の両方で、サンプル
適用側で高い癒着防止（低減）効果を示した。同一組成のサンプルは、待機時間の有無にかかわらず、高い癒着防止効果を示した（試験Ｎｏ．４  ｖｓ．  試験Ｎｏ．５；試験Ｎｏ．６  ｖｓ．  試験Ｎｏ．７；及び試験Ｎｏ．８  ｖｓ．  試験Ｎｏ．９）。なお、試験Ｎｏ．１〜１３の試験結果全体において、観察された癒着の大半は脂肪との癒着であったが、脂肪以外の臓器（例えば、小腸、大腸、盲腸、肝臓）との癒着数は、非適用側で８例であったのに対してサンプル適用側で４例であった。このように、サンプル適用側では脂肪以外の組織／臓器との癒着も防止（低減）されていた。
【０１４５】
［比較例２］  油分を含まないエマルションの癒着防止効果の評価
実施例１０で作製した、脂質濃度１３．５％の油分を含まないサンプルＮｏ．３８を用いたポンプスプレー剤について、実施例１１に示した方法に従って癒着防止効果を評価した。その結果を表４に示す。
【０１４６】
【表４】
2019193684.tif 000028
【０１４７】
本サンプルは、非適用側と比較して、サンプル適用側で癒着強度の低減を示した。一方、非適用側と比較して、サンプル適用側で癒着範囲率が低減したものの、油分を含むサンプルによる評価結果（試験Ｎｏ．１〜１３）と比較すると癒着範囲率は相対的に高く、癒着防止効果はやや劣っていた。
【０１４８】
［比較例３］  セプラフィルムによる癒着防止効果の評価
実施例１１に示した方法を用い、但しポンプスプレー剤を適用する代わりに、サンプル適用側に縦２ｃｍｘ横３ｃｍの大きさのセプラフィルム（科研製薬株式会社）断片１枚を貼付して、癒着防止効果を評価した（ラット数５匹、待機時間なし）。その結果、非適用側の癒着強度は平均±標準偏差２．４±１．３、癒着範囲率は平均±標準偏差６４±４６％であったのに対し、セプラフィルム適用側の癒着強度は平均±標準偏差２．４±１．３、癒着範囲は平均±標準偏差６０±４７％であり、セプラフィルムの使用による癒着防止効果はほとんど認められなかった。
【０１４９】
［実施例１２］  各エマルションについての安定性試験
実施例７で調製したサンプルＮｏ．１、２、７、９、１０、１３、１４、１８〜２１、２３、２４、３０〜３２、及び３５〜３７の各エマルション（油分を含有）をガラス製バイアル（スクリュー管瓶Ｎｏ．２又はＮｏ．５、マルエム製）中に室温で保存し、表５に示す経過期間後の粒子径分布を測定した。粒子径分布の測定にはゼータサイザーＮａｎｏ−ＺＳ（マルバーン製）を使用した。測定サンプルは各エマルションを蒸留水で２００倍希釈することにより調製した。各エマルションの経過期間後の平均粒子径（ｎｍ）（Ｚ−Ａｖｅｒａｇｅ）とＰｄＩ（多分散指数）を、エマルション調製直後の平均粒子径（ｎｍ）及びＰｄＩ（表１より転記）とともに、表５に示す。また比較例１で調製したサンプルＮｏ．３８〜４１の各エマルション（油分不含）についても同様の方法で一定期間にわたり室温で保存し、経時変化を観察した。なおサンプルＮｏ．１３及び１９のみ、エタノール不含である（表１参照）。
【０１５０】
【表５】
2019193684.tif 000029
【０１５１】
油分を含むサンプルＮｏ．１、２、７、９、１０、１３、１４、１８〜２１、２３、２４、３０〜３２、及び３５〜３７の各エマルションについて、調製直後と一定期間経過後の平均粒子径とＰｄＩの測定値から示されるように、室温保存後に粒子径分布の大きな変化は見られず、凝集塊も生じなかったことから、いずれのエマルションも安定であることが示された。
【０１５２】
一方、油分を含まないサンプルＮｏ．４１のエマルションについて、調製直後から２ヵ月経過後までの平均粒子径の変化は、脂質濃度が１２重量％と最も低いにもかかわらず、＋２５．３ｎｍであり、大きな増加が見られた。さらに、油分を含まないサンプルのエマルション（サンプルＮｏ．３８〜４１）においては、室温で１ヵ月以内に小さな凝集物が目視で確認され、それが経時的に成長して、凝集塊となった。
【０１５３】
［実施例１３］  各エマルションのせん断粘度の測定
実施例７に記載する方法により、実施例３で合成したＣ１７グリセリンエステル、油分、プルロニックＦ１２７（ユニルーブ（Ｒ）７０ＤＰ−９５０Ｂ、日油株式会社）、エタノール、及び注射用水（大塚蒸留水）を用い、表６に示す配合比に従ってエマルションを調製した。各エマルションについて、粘度・粘弾性測定装置（Ｇｅｍｉｎｉ  ＩＩ、マルバーン社；コーンプレートφ４０ｍｍ、コーン角度１°）を使用し、温度２５℃において、せん断速度１〜４，０００  １／ｓ、及び、１０，０００  １／ｓでせん断粘度の測定を行った。
【０１５４】
せん断速度１００  １／ｓ、及び、１０，０００  １／ｓにおける粘度（Ｐａ・ｓ）を表６に示す。なお典型的なせん断速度は、押し出し成形では１〜１００  １／ｓ、刷毛塗り塗材では１０〜１，０００  １／ｓ、スプレー剤で１０，０００〜１００，０００  １／ｓとされている。
【０１５５】
【表６】
2019193684.tif 000030
【０１５６】
脂質濃度１５％及び１８％のスクアレン又はミリスチン酸イソプロピルを含むエマルションの粘度を、油分を含まないエマルションの粘度と比較すると、いずれの脂質濃度においても、油分を含むエマルションの粘度が油分を含まないエマルションの粘度を下回った（試験Ｎｏ．１５又は試験Ｎｏ．１９の粘度  ＜  試験Ｎｏ．２４の粘度、試験Ｎｏ．１６又は試験Ｎｏ．２０の粘度  ＜  試験Ｎｏ．２５の粘度）。
【０１５７】
さらに、脂質濃度２１％のスクアレン又はミリスチン酸イソプロピルを含むエマルションの１００００  １／ｓでの粘度は、脂質濃度１８％の油分を含まないエマルションの粘度も下回った（試験Ｎｏ．１７及び試験Ｎｏ．２１の粘度＜試験Ｎｏ．２５の粘度）。
【０１５８】
表６に示す結果から、脂質含有エマルションへの油分の添加は、脂質濃度の増加に伴う粘度の上昇を抑制し、この作用が高脂質濃度のエマルションの調製を容易にすることが示された。
【０１５９】
［実施例１４］  油分を含むエマルションの癒着防止効果の評価
サンプルＮｏ．１２とＮｏ．１５の癒着防止効果を評価した。
実施例１１に示した方法に従って、実施例１０で作製したサンプルＮｏ．１２のポンプスプレー剤をスプレーすることにより切開縫合部に適用し、癒着を評価した。
【０１６０】
実施例７で調製したサンプルＮｏ．１５は薬さじで塗布した。具体的には、まず、１０週齢雌Ｗｉｓｔａｒラットに対しペントバルビタールを用いて全身麻酔を施行し、仰臥位とし、約３０ｍｍの腹部正中切開で開腹した。左右の上腹部壁側腹膜に約２０ｍｍの切開を加え、完全に止血した。５−０絹糸を用いて左右の腹膜切開部を６針で連続縫合閉鎖した。続いて、腹膜右側の切開縫合部に、平均６５ｍｇのサンプルＮｏ．１５を薬さじを用いて塗布して（約３ｃｍ２の範囲）、縫合部を被覆した（サンプル適用側）。腹膜左側の
切開縫合部には何も適用しなかった（非適用側／対照）。腹膜右側の切開縫合部にサンプルを適用してすぐ、腹壁を２層で縫合閉鎖して手術を終了した。その後の癒着の評価は、実施例１１と同様にして実施した。その結果を表７に示す。
【０１６１】
【表７】
2019193684.tif 000031
【０１６２】
ポンプスプレー剤の剤形のサンプルＮｏ．１２、及び塗布剤の剤形のサンプルＮｏ．１５はいずれも、非適用側と比較して、癒着強度と癒着範囲率の両方で、サンプル適用側で高い癒着防止（低減）効果を示した。
【０１６３】
［実施例１５］  各エマルションについての安定性試験
実施例７で調製したサンプルＮｏ．３、８、１０、１１、１２、１４及び１５の各エマルションについて、実施例１２に示した方法により室温で一定期間経過後の粒子径分布を測定した。各エマルションの一定期間経過後の平均粒子径（ｎｍ）とＰｄＩを、エマルション調製直後の平均粒子径（ｎｍ）及びＰｄＩ（表１より転記）とともに、表８に示した。
【０１６４】
【表８】
2019193684.tif 000032
【０１６５】
保存期間後、油分を含むサンプルＮｏ．３、８、１０、１１、１２、１４及び１５の各エマルションはいずれも安定であることが示された。１０ヵ月又はそれ以上に及ぶより長期間の室温保存後もエマルションは安定であった（サンプルＮｏ．１０及び１４参照）。
【産業上の利用可能性】
【０１６６】
本発明の癒着防止剤は、高濃度でも安定性の高い癒着防止剤として有利に用いることができる。
【図１】
2019193684.tif 000037
【図２】
2019193684.tif 000038
【図３】
2019193684.tif 000039
【図４】
2019193684.tif 000040
【図５】
2019193684.tif 000041
【図６】
2019193684.tif 000042
【図７】
2019193684.tif 000043
【図８】
2019193684.tif 000044
【図９】
2019193684.tif 000045
【図１０】
2019193684.tif 000046
【図１１】
2019193684.tif 000047
【図１２】
2019193684.tif 000048
【図１３】
2019193684.tif 000049
【図１４】
2019193684.tif 000050
【図１５】
2019193684.tif 000051
【図１６】
2019193684.tif 000052
【図１７】
2019193684.tif 000053